(57)【要約】【課題】本発明は、ドアを上下のドア部材で構成しても、上下のドア部材に分けたことに起因する浸水を防止することができる防水ドア装置を提供することを目的としている。【解決手段】防水ドア装置１は、枠体２とドア７とを備え、ドア７は、上側ドア部材７１と下側ドア部材７２とで構成され、下側ドア部材７２は、上側ドア部材７２と当接するシール部材２４を有する戸当たり２２を上側ドア部材７１側に突出させると共に、上側ドア部材７１は、戸当り２２のシール部材２４と当接する立壁部２６を有する窪み２５を下側ドア部材７２の突出量に応じて窪ませることで形成させ、更に、上側ドア部材７１は、戸当り２２の上壁部２８ａと当接する止水ゴム２９を備えた止水部２７を窪み２５の上方に有したものとする。【選択図】図２
2018155016.tif 000002
【特許請求の範囲】
【請求項１】
上枠、前記上枠に対して下方に位置するくつずり、及び、前記上枠と前記くつずりとの間に位置する２つの竪枠により成る枠体と、
前記２つの竪枠のいずれかにヒンジ機構を介して回転可能に取り付けられて、前記枠体の枠内の開口部を開閉するドアと、を備え、
前記ドアは、上側ドア部材と下側ドア部材とで構成された防水ドア装置であって、
前記下側ドア部材は、前記上側ドア部材と当接するシール部材を有する戸当たりを前記上側ドア部材側に突出させ、
前記上側ドア部材は、前記戸当りのシール部材と当接する立壁部を有する窪みを前記戸当りの突出量に応じて窪ませることで形成し、
更に、前記上側ドア部材は、前記戸当りの上側部位と当接する止水ゴムを備えた止水部を前記窪みの上方に有することを特徴とする防水ドア装置。
【請求項２】
前記止水部は、ホルダー部と前記ホルダー部に装着された止水ゴムとで構成されており、前記ホルダー部のうち前記上側ドア部材の外面側部位の厚みに応じて、前記止水ゴムに突出部が形成されていることを特徴とする請求項１に記載の防水ドア装置。
【請求項３】
前記ヒンジ機構は、前記枠体と前記ドアとの間に架設された連結シャフトと、前記２つの竪枠の一方に取り付けられると共に前記連結シャフトと直交する方向に延びる第１の回転軸を備えた第１の支持部材と、前記ドアに取り付けられると共に前記連結シャフトと直交する方向に延びる第２の回転軸を備えた第２の支持部材とを有して構成され、前記連結シャフトの両端部は、前記第１及び第２の回転軸を介して前記第１及び第２の支持部材に回転可能に支持されていることを特徴とする請求項１又は請求項２に記載の防水ドア装置。
【請求項４】
前記枠体の上枠は、前記戸当りの前記ドア側とは反対側に延びる延出部位を有し、この延出部位に掴み部が設けられていると共に、前記下側ドア部材は、前記掴み部を有する側と反対側に足掛け部を有することを特徴とする請求項１から請求項３のいずれかに記載の防水ドア装置。
【発明の詳細な説明】
【技術分野】
【０００１】
この発明は、止水板を兼ねた防水ドア装置に関する。
【背景技術】
【０００２】
近年において、集中豪雨（ゲリラ豪雨）や津波による浸水の対策のために開き戸型の防水ドア（防水扉等とも称する。）の開発が進められているが、一般的には、水の深さが３００ｍｍを超えると、水圧により開き戸型のドアを開閉することが著しく困難になるという障害が生ずる。このため、防水ドアが浸水時に開かず、防水ドアを開いての避難ができないという不都合が発生している。
【０００３】
特許文献１では、ドア板を、上側ドア板部材及びこの上側ドア板部材と連結解除手段により連結された下側ドア板部材で構成し、浸水等で水圧によりドア全体の開閉に対する障害が生じた場合に、下側ドア板部材と上側ドア板部材との連結を解除して、上側ドア板部材のみを開いての避難行動を可能とした建物のドアを開示している。
【０００４】
一方で、防水ドア装置は、ドアと枠体とを密接させて浸水防止能力を保持するために、例えば特許文献２のドア装置の防水構造のように、枠体に対し口字状に戸当りを配置し、この戸当りにゴム材等で成るシール部材を装着することで、ドアの外周縁全域をシールする構成が採られている。
【先行技術文献】
【特許文献】
【０００５】
【特許文献１】特開２０１４−１１４６６８号公報
【特許文献２】特開２０１６−２０５０７９号公報
【発明の概要】
【発明が解決しようとする課題】
【０００６】
しかしながら、特許文献２に示されるようなシール部材を有する防水ドア装置のドアを、特許文献１のように上側ドア部材と下側ドア部材とに分けた場合には、枠体に対しドアの外周周縁の全範囲に配置されたシール部材を設けても、ドアの側方外周周縁では、上側ドア部材と下側ドア部材との隙間（例えば３ｍｍの隙間）があるため、シール部材がドアと当接していないので、かかる隙間から浸水してしまうという不具合が考えられる。
【０００７】
この点、特許文献１の建物のドアは、防水ドアではないので、特許文献１の図４に示されるように、特許文献２に示されるようなシール部材自体が枠体の外周周縁に設けられていないが、上側ドア板部材から下方に延びた雨切り板を設けると共に下側ドア板部材から上方に延びた雨返し板を設けて、上側ドア板部材と下側ドア板部材との連結時に、一方のドア板部材の雨切り板又は雨返し板が他方のドア板部材のパネル面と接しつつ重なる構成とし、上側ドア部材と下側ドア部材との隙間をなくしている。
【０００８】
もっとも、特許文献１の建物のドアのような雨切り板及び雨返し板を有した構成では、雨切り板又は雨返し板の厚み分、ドアのパネルに、ドアの周縁まで横方向に帯状に延びる突部が形成されてしまう。このため、ドアが枠体のシール部材に当接するときに、ドアの突部がドアのパネル面よりも先に枠体のシール部材に当接するので、ドアのシール性が損なわれる。しかも、ドアの外面に形成された横方向に帯状に延びる突部により、ドアの美観も損なわれる。
【０００９】
そこで、本発明は、ドアを上下のドア部材で構成しても、上下のドア部材に分けたことに起因する浸水を防止することができる防水ドア装置を提供することを目的としている。
【課題を解決するための手段】
【００１０】
この発明に係る防水ドア装置は、上枠、前記上枠に対して下方に位置するくつずり、及び、前記上枠と前記くつずりとの間に位置する２つの竪枠により成る枠体と、前記２つの竪枠のいずれかにヒンジ機構を介して回転可能に取り付けられて、前記枠体の枠内の開口部を開閉するドアと、を備え、前記ドアは、上側ドア部材と下側ドア部材とで構成された防水ドア装置であって、前記下側ドア部材は、前記上側ドア部材と当接するシール部材を有する戸当たりを前記上側ドア部材側に突出させ、前記上側ドア部材は、前記戸当りのシール部材と当接する立壁部を有する窪みを前記戸当りの突出量に応じて窪ませることで形成し、更に、前記上側ドア部材は、前記戸当りの上側部位と当接する止水ゴムを備えた止水部を前記窪みの上方に有することを特徴としている。上側ドア部材と下側ドア部材とは、連結装置により連結可能になっており、この連結装置を操作することで、連結されたり、その連結が解除されたりする。
【００１１】
これにより、下側ドア部材の戸当りのシール部材が上側ドア部材の窪みの立壁部に圧縮しつつ当接し、更に、上側ドア部材の止水部の止水ゴムが下側ドアの戸当りの上側部位に圧縮しつつ当接するので、上側ドア部材と下側ドア部材との間に、上側ドア部材を円滑に開閉動作するための隙間があっても、その隙間はシール性良く閉塞される。
【００１２】
そして、下側ドア部材の戸当りが上側ドア部材の窪みに収まるかたちで、上側ドア部材と下側ドア部材とが組み合わされて上下一体のドアとなるので、下側ドア部材と上側ドア部材との境界部位に突部が生ずることがなく、下側ドア部材と上側ドア部材との境界部位を、下側ドア部材や上側ドア部材の他の面と同一平面状とすることが可能である。
【００１３】
請求項２の発明に係る防水ドア装置にあっては、前記止水部は、ホルダー部と前記ホルダー部に装着された止水ゴムとで構成されており、前記ホルダー部のうち前記上側ドア部材の外面側部位の厚みに応じて、前記止水ゴムに突出部が形成されていることを特徴としている。
【００１４】
これにより、止水ゴムを確実かつ強度を有する構成のホルダー部で保持するために、ホルダー部のうち上側ドア部材の外面側部位の形状を折り返し部等として、ホルダー部のうち上側ドア部材の外面側部位を相対的に厚くしても、止水ゴムは、ホルダー部のうち上側ドア部材の外面側部位の厚みに応じて、その厚み分の隙間を埋める突出部が形成されている。従って、止水ゴムとホルダー部の下端との間に、ホルダー部の上側ドア部材の外面側部位の厚み分の隙間が生じて、その隙間から浸水するのが防止される。
【００１５】
請求項３の発明に係る防水ドア装置にあっては、前記ヒンジ機構は、前記枠体と前記ドアとの間に架設された連結シャフトと、前記２つの竪枠の一方に取り付けられると共に前記連結シャフトと直交する方向に延びる第１の回転軸を備えた第１の支持部材と、前記ドアに取り付けられると共に前記連結シャフトと直交する方向に延びる第２の回転軸を備えた第２の支持部材とを有して構成され、前記連結シャフトの両端部は、前記第１及び第２の回転軸を介して前記第１及び第２の支持部材に回転可能に支持されていることを特徴としている。
【００１６】
これにより、ドアが枠内空間を開閉する動作のときには、第１の回転軸を軸心としてドアが回転し、第２の回転軸は回転しないように規制されているものとし、ドアが枠内空間を閉塞している状態でドアに対し所定以上の圧力が加わったときに第２の回転軸が回転するようにすることができる。これに伴い、ドアは枠体の戸当りに通常の開閉時よりも強く押し付けられるので、ドアと枠体とのシール性が向上する。よって、ドアが水圧により上側ドア部材及び下側ドア部材が連結されたドア全体として開閉ができなくなった場合でも、下側ドア部材は、止水板として機能することができる。
【００１７】
請求項４の発明に係る防水ドア装置にあっては、前記枠体の上枠は、前記戸当りの前記ドア側とは反対側に延びる延出部位を有し、この延出部位に掴み部が設けられていると共に、前記下側ドア部材は、前記掴み部を有する側と反対側に足掛け部を有することを特徴としている。
【００１８】
これにより、上側ドア部材のみを開いた後、両手又は片手で掴み部を持ち、片足を下側ドア部材の足掛け部に載せることで、床から下側ドア部材の上縁まである程度の高さがあっても、下側ドア部材を乗り越えて、上側ドア部材で開放された枠内空間からドアの反対側に避難することが可能である。
【発明の効果】
【００１９】
以上に述べたように、本発明に係る防水ドア装置によれば、上側ドア部材のみを開閉することができるので、浸水によりドア全体として開閉が困難になった非常時には、上側ドア部材のみを開いて、この上側ドア部材で開かれた枠内開口部から避難することが可能である。
【００２０】
そして、本発明に係る防水ドア装置によれば、防水ドアを閉じた後に防水ドアの向こう側の浸水状況を確認したい場合には、ドア全体を開かなくても、上側ドア材のみを開き、この上側ドア部材の開放により形成された枠内開口部から浸水状況を確認することが可能である。この場合でも、下側ドア部材は、止水板として機能しているので、浸水を防止することができる。
【００２１】
更に、本発明に係る防水ドア装置によれば、上側ドア部材と下側ドア部材とを一体のドアとなるように組み合わせたとき、下側ドア部材の戸当りのシール部材が上側ドア部材の窪みの立壁部に圧縮しつつ当接し、更に、上側ドア部材の止水部の止水ゴムが下側ドアの戸当りの上側部位に圧縮しつつ当接するので、上側ドア部材と下側ドア部材との間に、上側ドア部材を円滑に開閉動作するための隙間があっても、その隙間をシール性良く閉塞することができる。
【００２２】
特に請求項２の発明に係る防水ドア装置によれば、止水ゴムを確実かつ強度を有する構成のホルダー部で保持するために、ホルダー部のうち上側ドア部材の外面側部位の形状を折り返し部等として、ホルダー部のうち上側ドア部材の外面側部位を相対的に厚くしても、止水ゴムは、ホルダー部のうち上側ドア部材の外面側部位の厚みに応じて、その厚み分の隙間を埋める突出部が形成されている。従って、止水部は、止水ゴムとホルダー部の下端との間に、ホルダー部のうち上側ドア部材の外面側部位の厚み分の隙間が生じて、その隙間から浸水するのを防止することが可能である。
【００２３】
特に請求項３の発明に係る防水ドア装置によれば、ドアが枠内空間を開閉する動作のときには、第１の回転軸を軸心としてドアが回転し、第２の回転軸は回転しないように規制されているものとし、ドアが枠内空間を閉塞している状態でドアに対し所定以上の圧力が加わったときに第２の回転軸が回転するようにすることができる。これに伴い、ドアは枠体の戸当りに通常の開閉時よりも強く押し付けられるので、ドアと枠体とのシール性が向上する。よって、ドアが水圧により上側ドア部材及び下側ドア部材が連結されたドア全体として開閉ができなくなった場合でも、下側ドア部材は、止水板として機能することが可能となる。
【００２４】
特に請求項４の発明に係る防水ドア装置によれば、上側ドア部材のみを開いた後、両手又は片手で掴み部を持ち、片足を下側ドア部材の足掛け部に載せることで、床から下側ドア部材の上縁まである程度の高さがあっても、下側ドア部材を乗り越えて、上側ドア部材で開放された枠内空間からドアの反対側に避難することが可能である。
【図面の簡単な説明】
【００２５】
【図１】図１は、この発明に係る防水ドア装置の全体構成を外部側から見た状態を示した概略図である。
【図２】図２は、図１のＡ−Ａ線断面を拡大した断面拡大図（但し、ハンドル等は省略した図。）である。
【図３】図３は、前記防水ドア装置の上側ドア部材と下側ドア部材との境界部位を示した説明図である。
【図４】図４は、図３のドアのＢ−Ｂ線断面図である。
【図５】図５は、前記防水ドア装置のヒンジ機構の構成を主に説明するための概略図である。
【図６】図６（ａ）から図６（ｃ）は、前記防水ドア装置が図５のヒンジ装置を有した場合における、ドアの開放時の状態、ドアの通常の閉塞時の状態、ドアが水圧で押された時の状態を示した概略図である。
【図７】図７（ａ）は、前記上側ドア部材が前記下側ドア部材に対し開く前の状態を示した概略図であり、図７（ｂ）は、前記上側ドア部材が前記下側ドア部材に対し開いた状態を示した概略図である。
【発明を実施するための形態】
【００２６】
以下、この発明の実施形態について添付図面を参照しながら説明する。
【００２７】
図１から図７において、この発明の防水ドア装置１の一例が示されている。この防水ドア装置１は、例えば、建物の出入り口、地下駐車場の地上に上がる階段の出入り口、地下商店街の非常口等を開閉するのに用いることが可能なものであり、日常的に用いられるドア装置と、非常時にのみ用いられるドア装置との双方を含む。
【００２８】
防水ドア装置１は、図１及び図２に示されるように、枠体２と、ドア７とで基本的に構成されている。図２では、防水ドア装置１は、外部と内部とを仕切る立壁Ｗと床Ｆ（より正確には、床Ｆに設けた窪み。）との間の空間に設置されており、ドア７が外部側に開くようになっている。
【００２９】
枠体２は、図２に示されるように、上枠２ａと、戸先側竪枠２ｂと、吊元側竪枠２ｃと、くつずり（「下枠」とも称する。）２ｄとを有する。枠体２は、これらの上枠２ａ、戸先側竪枠２ｂ、吊元側竪枠２ｃ、及びくつずり２ｄにより、図１に示されるように、ロの字状をなし、枠内に矩形状の開口部Ｓが形成されている。
【００３０】
そして、枠体２は、図２及び図５に示されるように、上枠２ａ、戸先側竪枠２ｂ、吊元側竪枠２ｃ及びくつずり２ｄの全てにおいて、ドア７の内部側面の周縁部位と当接するための戸当たり３を有する。戸当り３のうち上枠２ａに位置するものを上方戸当たり３ａ、戸先側竪枠２ｂに位置するものを側方戸当り３ｂ、吊元側竪枠２ｃに位置するものを側方戸当り３ｃ、くつずり２ｄに位置するものを下方戸当たり３ｄとする。戸当り３（３ａから３ｄ）は、一連につながってロの字状をなしている。戸当り３は、図２の上方戸当たり３ａ、下方戸当り３ｄ及び図３の側方戸当り３ｃで示されるように、ホルダー部４とシール部材５とを備えている。
【００３１】
ホルダー部４は、断面がコの字状をなしていると共に、枠内開口部Ｓ側が逆Ｕ字状に折り曲げられて、つぶし部となっている。そして、ホルダー部４のつぶし部の山折りの頂面は、シール部材５のドア７と対峙する面よりも引っ込んでおり、後述するように、通常時ではシール部材５のみがドア７に当接するようになっている。シール部材５は、止水ゴムやパッキン等とも称されるもので、少なくともドア７が当該シール部材５に遠近する方向に伸縮可能な構成となっている。シール部材５の構成は、この実施形態では問わない。シール部材５は、連なった状態ではロの字状をなし、ホルダー部４の溝部内に押し込まれることで枠体２に固定される。
【００３２】
ドア７は、上側ドア部材７１と下側ドア部材７２とを備えており、この実施形態では、図１に示されるように、それぞれ２つのヒンジ機構２１により枠体２の吊元側竪枠２ｃに連結されている。
【００３３】
上側ドア部材７１は、図１及び図２に示されるように、例えば水が浸水してくる外部側に面した外部側パネル８ａと、避難する内部側に面した内部側パネル９ａと、パネル８ａ、９ａの上側を連接する上側連接パネル１０ａと、パネル８ａ、９ａの下側を連接する下側連接パネル１１ａと、パネル８ａ、９ａの側方を連接する側方連接パネル１２ａ、１３ａとを備えた箱体状のものである。これらのパネル８ａ、９ａ、１０ａ、１１ａ、１２ａ及び１３ａは、孔や下記する窪み２５を除き、それぞれ全面において凹凸のない平面状をなしている。
【００３４】
また、上側ドア部材７１は、図３及び図４に示されるように、ドア７全体又は上側ドア部材７１を枠体２の戸先側竪枠２ｂに仮締め・施錠を行い又はその仮締め・施錠を解除するための金具１４を備えている。この金具１４は、上側ドア部材７１内に収容されたボックス１５と、ハンドル１６と、施錠装置１７とを有する。
【００３５】
ハンドル１６は、例えば、図３及び図４に示されるように、ボックス１５内に収容された機構（図示せず。）と、ボックス１５からパネル８ａ、９ｂの外面に突出した回転軸１６１と、回転軸１６１に装着されたハンドル本体１６２、１６２と、ボックス１５から側方連接パネル１２ａの外面に出没するラッチボルト１６３とで構成さている。ハンドル１６に対し、ハンドル本体１６２を図３の実線の位置から２点鎖線の位置のまで回転させ、且つ、元の実線の位置まで戻す操作を行うことにより、ラッチボルト１６３が図３の太い矢印に示すように側方連接パネル１２ａから出没して、ドア７全体又は上側ドア部材７１を戸先側竪枠２ｂに仮締めし又はその仮締めを解除することが可能である。なお、図３、図４では、ハンドル本体１６２をレバー型のものとして示したが、ノブ型のものであっても良い。
【００３６】
施錠装置１７は、例えば、図３及び図４に示されるように、ボックス１５内に収容された機構（図示せず。）と、ボックス１５からパネル８ａ、８ｂの外面に突出した回転軸１７１、１７１と、回転軸１７１に装着されて鍵１００を差し込んで回す回転部１７２と、手の指で回すサムターン１７３と、ボックス１５から側方連接パネル１２ａの外面に出没するデッドボルト１７４とで構成さている。防犯上の見地から、鍵１００を差し込んで回す回転部１７２は外部側に配置されている。例えば、回転部１７２の鍵穴に鍵１００を差し込んで、鍵１００を図３の実線の位置から２点鎖線の位置まで回し、且つ、元の実線の位置まで戻す操作を行うことにより、デッドボルト１７４が図５の白抜き矢印に示すように側方連接パネル１２ａから出没して、ドア７全体又は上側ドア部材７１を戸先側竪枠２ｂに施錠し又はその施錠を解除することが可能である。なお、防犯上の必要性がなければ、施錠装置１７はなくても良い。
【００３７】
下側ドア部材７２は、上側ドア部材７１の鉛直方向の下方に若干の隙間（例えば３ｍｍ）を空けて位置しており、図１及び図２に示されるように、外部側パネル８ａと同じ側に面した外部側パネル８ｂと、内部側パネル９ａと同じ側に面した内部側パネル９ｂと、パネル８ｂ、９ｂの上側を連接する上側連接パネル１０ｂと、パネル８ｂ、９ｂの下側を連接する下側連接パネル１１ｂと、パネル８ｂ、９ｂの側方を連接する側方連接パネル１２ｂ、１３ｂを備えた箱体状のものである。
【００３８】
パネル８ｂ、９ｂ、１０ｂ、１１ｂ、１２ｂ及び１３ｂは、孔等を除き、それぞれ全面において凹凸のない平面状をなしている。更に、図２に示されるように、上側ドア部材７１の外部側パネル８ａと下側ドア部材７２の外部側パネル８ｂとは同一平面上にあり、上側ドア部材７１の内部側パネル９ａと下側ドア部材７２の内部側パネル９ｂとについても同一平面上にある。
【００３９】
また、下側ドア部材７２は、下側ドア部材７２を上側ドア部材７１と連結し、その連結を解除するための金具１８を有している。金具１８は、下側ドア部材７２内に収容されたボックス１９と、連結装置２０とを有する。連結装置２０は、例えば、図３及び図４に示されるように、ボックス１９内に収容された機構（図示せず。）と、ボックス１９からパネル８ｂ、９ｂの外面に突出した回転軸２０１、２０１と、手の指で回すサムターン２０２と、回転軸２０１に装着されて鍵１００を差し込んで回す回転部２０３と、ボックス１９から上側連接パネル１０ｂの外面に出没するデッドボルト２０４とで構成さている。緊急時に鍵１００がなくても開錠することがでるようにサムターン２０２が外部側に配置されている。例えば、サムターン２０２を、図３の実線の位置から２点鎖線の位置まで回し、且つ、元の実線の位置まで戻す操作を行うことにより、デッドボルト２０４が図３の細線の矢印に示すように上側連接パネル１０ｂから出没して、下側ドア部材７２を上側ドア部材７１に連結し、その連結を解除することが可能である。
【００４０】
このような上側ドア部材７１及び下側ドア部材７２を有することにより、洪水や津波等によりドア７の外部側の水の深さが３００ｍｍを超える等して、ドア７を水が浸水してきた外部側に向けて開くことが困難な状態になった場合には、以下の手順により上側ドア部材７１のみを開いて避難することが可能である。
【００４１】
すなわち、施錠装置１７のデッドボルト１７４により施錠されていないか、図示しないが施錠装置１７自体がない条件下では、まず、連結装置２０のサムターン２０２を回して、デッドボルト２０４を没入させて、上側ドア部材７１と下側ドア部材７２との連結を解除する。次に、ハンドル本体１６２を持って回転して、ラッチボルト１６３を没入させて、上側ドア部材７１の仮締めを解除した後、ハンドル本体１６２を外部側に引く。これにより、下側ドア部材７２は水圧で固定されているので、上側ドア部材７１のみを開くことができ、上側ドア部材７１を開いてできた開口部から内部側に避難することが可能である。なお、ドア７が施錠装置１７のデッドボルト１７４により施錠されている場合にも、避難する者が鍵１００を有していれば、前記手順において回転部１７２に鍵１００を差し込んで回転させて、デッドボルト１７４を没入して、施錠装置１７を開錠するという手順が加わるのみである。
【００４２】
ヒンジ機構２１は、防水ドアとしての機能を確保するために、図５及び図６に示されるように、二軸ヒンジ機構が用いられている。すなわち、ヒンジ機構２１は、図５に示されるように、枠体２とドア７との間に架設された連結シャフト２１１と、吊元側竪枠２ｃにボルト等の固定具２１２により取り付けられると共に連結シャフト２１１を当該連結シャフト２１１と直交する第１の回転軸２１３を介して横方向に回転可能に支持する第１の支持部材２１４と、ドア７の外部側パネル９ａ又は外部側パネル９ｂにボルト等の固定具２１５を介して取り付けられると共に連結シャフト２１１を当該連結シャフト２１１と直交する第２の回転軸２１６を介して回転可能に支持する第２の支持部材２１７とを備えている。第２の回転軸２７は、通常使用時には回転が規制されており、所定以上の圧力がドア７に加わった場合に回転するようになっている。所定以上の圧力とは、例えばドア７に対し枠内開口部Ｓを閉塞した状態から枠内開口部Ｓを開く方向に動かすことができないか困難な、ドア７に開閉障害が生ずるほどの圧力である。
【００４３】
これにより、防水ドア装置１は、図６（ａ）及び図６（ｂ）に示されるように、日常時においてドア７を開閉させる場合には、第２の回転軸２７は回転せず、第１の回転軸２４が回転することにより、ドア７は、第１の回転軸２４を軸心として回転する。そして、図６（ｂ）に示されるように、ドア７の戸先側部位及び吊元側部位がシール部材５のみに当たり、シール部材５を若干収縮させることで、日常に必要とされるドア７と枠体２とのシール性が得られる。
【００４４】
そして、図６（ｃ）に示されるように、ドア７が閉じた状態で、当該ドア７に対し矢印に示す方向に水圧が加わった場合には、連結シャフト２２が双方の回転軸２４、２７を軸心として回転可能になり、ドア７を図６（ｂ）の閉塞状態から更にシール部材５側に変位させ、ドア７がシール部材５を戸先側枠体２ｂ及び吊元側枠体２ｃに当接するまでシール部材５を押して収縮した状態とする。これにより、ドア７と枠体２とのシール性が向上し、少なくとも下側ドア部材７２では下側ドア部材７２と枠体２との間から浸水することが防止される。
【００４５】
このようなヒンジ機構２１を有することにより、上側ドア部材７１を開いた状態において、下側ドア部材７２は止水板として機能することができる。このため、例えば水の深さが下側ドア部材７２の上端まで到達していなければ、内部側に避難した者が上側ドア部材７１のみを開いて、外部の浸水の様子等を確認することが可能である。
【００４６】
そして、本発明の防水ドア１は、下記に示すように、ドア７が上側ドア部材７１と下側ドア部材７２とに分割したことに起因する浸水を防止するための構造及び、上側ドア部材７１のみを開いての避難を容易にするための構造を更に有している。
【００４７】
すなわち、下側ドア部材７２は、図２及び図７に示されるように、上側ドア部材７１が当接する戸当り２２を有している。この戸当り２２は、ホルダー部２３とシール部材２４とで構成されている。
【００４８】
ホルダー部２３は、この実施形態では、内部側パネル９ｂから、当該内部パネル９ｂと同一平面状になるようにしつつ、上側ドア部材７１の下側連接パネル１０ａよりも上方に延びる板状の縦壁部２３ａと、この延出部材２３ａの先端から外部側に向けて延びる板状の上壁部２３ｂとを有し、下側ドア部材７２の上側連接パネル１０ｂの一部とでコの字状をなしている。
【００４９】
シール部材２４は、止水ゴムやパッキン等とも称されるもので、下側ドア部材７２の一方の側方から他方の側方まで配置され、少なくとも上側ドア部材７１が当該シール部材２４に遠近する方向に伸縮可能な構成となっている。シール部材２４は、例えばシリコーンゴム、エチレンプロピレンゴム、クロロプレンゴム等の素材が用いられる。そして、シール部材２４は、ホルダー部２３の溝部内に押し込まれることにより固定され、この固定された状態では、上壁部２３ｂよりも外部側に突出して、下側ドア部材７２が少なくともシール部材２４に対し最先に当接するようになっている。
【００５０】
上側ドア部材７１は、下側ドア部材７２の戸当り２２と、ドア７の厚み内で組み合うことができる空間を得るために窪み２５を有している。この窪み２５は、下側連接パネル１０ａのうちデッドボルト２０４が出没する孔よりも内部側の部位を上方に折り曲げて、戸当り２２と対峙する立壁部２６を形成することで構成されている。立壁部２６は、上側ドア部材７１と下側ドア部材７２とが連結された時には、シール部材８２と、当該シール部材８２が若干伸縮した状態で当接する。
【００５１】
このような戸当り２２を下側ドア部材７２に設け、上側ドア部材７１に戸当り２２と組み合う窪み２５を設けることにより、上側ドア部材７１の内部側パネル９ａ、下側ドア部材７２の内部側パネル９ｂに凹凸を形成することなく、且つ、上側ドア部材７１の立壁部２６と下側ドア部材７２とをシール性良く当接させることができる。そして、このように、上側ドア部材７１の立壁部２６が下側ドア部材７２のシール部材８２に当接するようにしたこととで、上側ドア部材７１と下側ドア部材７２との連結を解除して、下側ドア部材７２を外部側に開こうとしても、下側ドア部材７２が外部側に開くのを防止することが可能である。よって、施錠装置１７で施錠しているにも関わらず、下側ドア部材７２が開けられて、不審者等が内部に侵入することを防ぐことができる。
【００５２】
更に、上側ドア部材７１は、図２、図４及び図７に示されるように、上側ドア部材７１と下側ドア部材７２とが連結された状態において、戸当り２２の上方になる位置に、止水部２７を有している。止水部２７は、ホルダー部２８と止水ゴム２９とで構成されている。
【００５３】
ホルダー部２８は、立壁部２６を戸当り２２と対峙する部位よりも更に上側に延出させた立壁延出部２６ａと、立壁延出部２６ａの上端から内部側に延びた上壁部２８ａと、内部側パネル９ａの下端をＵ字状に折り曲げてなるつぶし部２８ｂとから成り、これら立壁延出部２６ａと上壁部２８ａとつぶし部２８ｂとで逆Ｕ字状をなしている。
【００５４】
止水ゴム２９は、例えばシリコーンゴム、エチレンプロピレンゴム、クロロプレンゴム等の素材が用いられるもので、ホルダー部２８の溝部内に押し込まれることにより固定される。止水ゴム２９は、つぶし部２８ｂの谷折りの頂部よりもシール部材２４側に突出していると共につぶし部２８ｂの頂部と上壁部２３ｂとの間から内部側に向けて突出した形態となっている。
【００５５】
このような止水部２７を有することにより、上側ドア部材７１と下側ドア部材７２とを、戸当り２２が立壁部２６に当接するように組み付けた状態において、止水ゴム２９が戸当り２２のホルダー部２３の上壁部２３に圧接するので、戸当り２２と止水ゴム２９とをシール性良く当接させることができる。
【００５６】
しかも、止水部２７のホルダー部２８に対し内部側の部位をつぶし部２８ｂとしても、止水ゴム２９は、つぶし部２８ｂの頂部よりも下方において、内部側に突出した突出部を有するので、例えばドア７の側方縁部においてつぶし部２８ｂと止水ゴム２９との隙間から浸水するのを防止することが可能である。
【００５７】
また、下側ドア部材７２は、図１及び図２に示されるように、外部側にコの字状に開口した足掛け部３０を有している。この足掛け部３０は、図２では、外部側パネル８ｂに開口部を設けると共に、下部ドア部材７２内に外部パネル８ｂの開口部と連通する開口を備えたコの字状部位を有する部材を装着することで構成されている。
【００５８】
そして、枠体２は、図２に示されるように、枠内開口部Ｓの軸方向に延出させて、枠体２の厚みを相対的に大きくすると共に、図１及び図２に示されるように、上枠２の上方戸当り３ａを基準としてドア７とは反対側に掴み部３１が設けられている。これにより、足掛け部３０は、ドア７の掴み部３１を有する側と反対側に開口している。掴み部３１は、この実施形態では、円筒状の棒体３１ａと、この棒体３１ａを上方戸当り３ａに取り付けるための取り付け部３１ｂとで構成されている。
【００５９】
このような足掛け部３０及び掴み部３１を有することにより、上側ドア部材７１を開いた後、両手又は片手で掴み部３１の棒体３１ａを掴み、片足を足掛け部３０に置く動作を行うことで、床Ｆから下側ドア部材７２の上端まである程度の高さを有していても、下側ドア部材７２を乗り越えて、上側ドア部材７１の開放でできた空間から、内部側に避難することが可能となる。
【符号の説明】
【００６０】
１  防水ドア装置
２  枠体
２ａ  上枠
２ｂ  竪枠（戸先側竪枠）
２ｃ  竪枠（吊元側竪枠）
２ｄ  くつずり
７  ドア（上下一体）
７１  上側ドア部材
７２  下側ドア部材
２１  ヒンジ機構
２１１  連結シャフト
２１３  第１の回転軸
２１４  第１の支持部材
２１６  第２の回転軸
２１７  第２の支持部材
２２  戸当たり
２３  ホルダー部
２３ａ  立壁部
２３ｂ  戸当りの上側部位（上壁部）
２４  シール部材
２５  窪み
２６  立壁部
２７  止水部
２８  ホルダー部
２８ｂ  止水部の上側ドア部材の外面側部位（つぶし部）
２９  止水ゴム
３０  足掛け部
３１  掴み部
Ｓ  枠内開口部
【図１】
2018155016.tif 000003
【図２】
2018155016.tif 000004
【図３】
2018155016.tif 000005
【図４】
2018155016.tif 000006
【図５】
2018155016.tif 000007
【図６】
2018155016.tif 000008
【図７】
2018155016.tif 000009